(57)【要約】    【課題】  広告効果を増大させるとともに、店舗運営者の需要を拡大させること。    【解決手段】  本発明では、電子通信回線網を介して接続された広告掲載者から広告視聴者に広告情報を伝送する広告システムにおいて、広告提供者から広告掲載者に広告情報を提供し、広告掲載者が広告情報を閲覧可能に掲載し、広告視聴者からの要求に応じて広告掲載者から広告視聴者に広告情報を伝送し、広告視聴者から広告情報が視聴されたことを広告掲載者に伝送し、広告掲載者から広告視聴者に視聴した広告情報に応じたポイント情報を伝送し、広告視聴者が前記ポイント情報の全部又は一部に基づいて前記電子通信回線網を介して接続された店舗運営者に対して商品又はサービスの提供を申し込み、前記広告視聴者が申し込んだ商品又はサービスに応じた費用情報を店舗運営者から広告掲載者に伝送することにした。【選択図】      図２
2006120025.tif 000002
【特許請求の範囲】
【請求項１】
電子通信回線網を介して接続された広告掲載者のサーバーコンピュータから広告視聴者のクライアントコンピュータに広告情報を伝送する広告システムにおいて、
広告提供者のコンピュータから広告掲載者のサーバーコンピュータに広告情報を提供する広告情報提供ステップと、
広告掲載者のサーバーコンピュータ上に広告情報を閲覧可能に掲載する広告掲載ステップと、
広告視聴者のクライアントコンピュータからの要求に応じて広告掲載者のサーバーコンピュータから広告視聴者のクライアントコンピュータに広告情報を伝送する広告情報伝送ステップと、
広告視聴者のクライアントコンピュータから広告情報が視聴されたことを広告掲載者のサーバーコンピュータに伝送する視聴情報伝送ステップと、
広告掲載者のサーバーコンピュータから広告視聴者のクライアントコンピュータに視聴した広告情報に応じたポイント情報を伝送するポイント情報伝送ステップと、
広告視聴者が前記ポイント情報の全部又は一部に基づいて前記電子通信回線網を介して接続された店舗運営者に対して商品又はサービスの提供を申し込む申込ステップと、
前記広告視聴者が申し込んだ商品又はサービスに応じた費用情報を店舗運営者のコンピュータから広告掲載者のサーバーコンピュータに伝送する費用情報伝送ステップと、
を有することを特徴とする広告システム。
【請求項２】
前記広告情報には、広告内容である広告データと、全広告視聴者に視聴させる合計回数を示す回数データとを含み、この回数データに応じた合計回数だけ必ず前記広告情報伝送ステップにおいて広告情報を伝送することを特徴とする請求項１に記載の広告システム。
【請求項３】
広告情報を視聴した広告視聴者のクライアントコンピュータから各広告視聴者に関する視聴者情報を広告掲載者のサーバーコンピュータに伝送する視聴者情報伝送ステップと、伝送された視聴者情報を各広告情報ごとに集計した視聴者集計情報を広告掲載者のサーバーコンピュータから広告提供者のコンピュータに伝送する視聴者集計情報伝送ステップとを有することを特徴とする請求項１又は請求項２に記載の広告システム。
【請求項４】
前記広告視聴者のクライアントコンピュータは、携帯端末装置であることを特徴とする請求項１から請求項３のいずれかに記載の広告システム。
【請求項５】
電子通信回線網を介して接続された広告掲載者のサーバーコンピュータから広告視聴者のクライアントコンピュータに広告情報を伝送する広告システムを運用するサーバーコンピュータにおいて、
広告提供者のコンピュータから広告情報の提供を受ける広告情報提供ステップと、
広告情報を閲覧可能に掲載する広告掲載ステップと、
広告視聴者のクライアントコンピュータからの要求に応じて広告視聴者のクライアントコンピュータに広告情報を伝送する広告情報伝送ステップと、
広告視聴者のクライアントコンピュータから広告情報が視聴されたことが伝送される視聴情報伝送ステップと、
広告視聴者のクライアントコンピュータに視聴した広告情報に応じたポイント情報を伝送するポイント情報伝送ステップと、
広告視聴者が前記ポイント情報の全部又は一部に基づいて前記電子通信回線網を介して接続された店舗運営者に対して商品又はサービスの提供を申し込んだ場合に、広告視聴者が申し込んだ商品又はサービスに応じた費用情報を店舗運営者のコンピュータから伝送される費用情報伝送ステップと、
を有することを特徴とするサーバーコンピュータ。
【請求項６】
前記広告情報には、広告内容である広告データと、全広告視聴者に視聴させる合計回数を示す回数データとを含み、この回数データに応じた合計回数だけ必ず前記広告情報伝送ステップにおいて広告情報を伝送することを特徴とする請求項５に記載のサーバーコンピュータ。
【請求項７】
広告情報を視聴した広告視聴者のクライアントコンピュータから各広告視聴者に関する視聴者情報が伝送される視聴者情報伝送ステップと、伝送された視聴者情報を各広告情報ごとに集計した視聴者集計情報を広告提供者のコンピュータに伝送する視聴者集計情報伝送ステップとを有することを特徴とする請求項５又は請求項６に記載のサーバーコンピュータ。
【発明の詳細な説明】
【技術分野】
【０００１】
本発明は、電子通信回線網を介して接続された広告掲載者のサーバーコンピュータから広告視聴者のクライアントコンピュータに広告情報を伝送する広告システム及びこの広告システムを運用するサーバーコンピュータに関するものである。
【背景技術】
【０００２】
近年のインターネットを代表とする電子通信回線網の発達により、電子通信回線網を介して接続された広告掲載者のサーバーコンピュータから広告視聴者のクライアントコンピュータに対して広告提供者のコンピュータから提供された広告情報を伝送する広告システムが広く利用されている。
【０００３】
この従来の広告システムでは、広告が視聴される回数を増大させるために、広告に応じて広告掲載者から広告視聴者にポイントを付与し、このポイントを蓄積していくことで合計ポイントに応じた特典を広告掲載者から得られるようにしていた（たとえば、特許文献１参照。）。
【０００４】
たとえば、広告ごとに所定のポイント数が予め設定されており、広告視聴者がその広告を視聴した場合には、広告掲載者から広告視聴者にその広告に応じたポイントが付与され、広告視聴者は、広告掲載者から付与されたポイントの合計に応じた商品を広告掲載者から受けることができるようにしていた。
【特許文献１】特開２００２−３２００５１号公報
【発明の開示】
【発明が解決しようとする課題】
【０００５】
ところが、上記従来の広告システムにおいては、広告視聴者が得られる特典が広告掲載者から付与されるために、限られた特典でしかなく、広告視聴者を満足させることができず、広告視聴者が広告を視聴する回数を大幅に増大させることができなかった。
【課題を解決するための手段】
【０００６】
そこで、請求項１に係る本発明では、電子通信回線網を介して接続された広告掲載者のサーバーコンピュータから広告視聴者のクライアントコンピュータに広告情報を伝送する広告システムにおいて、広告提供者のコンピュータから広告掲載者のサーバーコンピュータに広告情報を提供する広告情報提供ステップと、広告掲載者のサーバーコンピュータ上に広告情報を閲覧可能に掲載する広告掲載ステップと、広告視聴者のクライアントコンピュータからの要求に応じて広告掲載者のサーバーコンピュータから広告視聴者のクライアントコンピュータに広告情報を伝送する広告情報伝送ステップと、広告視聴者のクライアントコンピュータから広告情報が視聴されたことを広告掲載者のサーバーコンピュータに伝送する視聴情報伝送ステップと、広告掲載者のサーバーコンピュータから広告視聴者のクライアントコンピュータに視聴した広告情報に応じたポイント情報を伝送するポイント情報伝送ステップと、広告視聴者が前記ポイント情報の全部又は一部に基づいて前記電子通信回線網を介して接続された店舗運営者に対して商品又はサービスの提供を申し込む申込ステップと、前記広告視聴者が申し込んだ商品又はサービスに応じた費用情報を店舗運営者のコンピュータから広告掲載者のサーバーコンピュータに伝送する費用情報伝送ステップとを有することにした。
【０００７】
また、請求項２に係る本発明では、前記請求項１に係る本発明において、前記広告情報には、広告内容である広告データと、全広告視聴者に視聴させる合計回数を示す回数データとを含み、この回数データに応じた合計回数だけ必ず前記広告情報伝送ステップにおいて広告情報を伝送することにした。
【０００８】
また、請求項３に係る本発明では、前記請求項１又は請求項２に係る本発明において、広告情報を視聴した広告視聴者のクライアントコンピュータから各広告視聴者に関する視聴者情報を広告掲載者のサーバーコンピュータに伝送する視聴者情報伝送ステップと、伝送された視聴者情報を各広告情報ごとに集計した視聴者集計情報を広告掲載者のサーバーコンピュータから広告提供者のコンピュータに伝送する視聴者集計情報伝送ステップとを有することにした。
【０００９】
また、請求項４に係る本発明では、前記請求項１から請求項３のいずれかに係る本発明において、前記広告視聴者のクライアントコンピュータは、携帯端末装置であることにした。
【００１０】
また、請求項５に係る本発明では、電子通信回線網を介して接続された広告掲載者のサーバーコンピュータから広告視聴者のクライアントコンピュータに広告情報を伝送する広告システムを運用するサーバーコンピュータにおいて、広告提供者のコンピュータから広告情報の提供を受ける広告情報提供ステップと、広告情報を閲覧可能に掲載する広告掲載ステップと、広告視聴者のクライアントコンピュータからの要求に応じて広告視聴者のクライアントコンピュータに広告情報を伝送する広告情報伝送ステップと、広告視聴者のクライアントコンピュータから広告情報が視聴されたことが伝送される視聴情報伝送ステップと、広告視聴者のクライアントコンピュータに視聴した広告情報に応じたポイント情報を伝送するポイント情報伝送ステップと、広告視聴者が前記ポイント情報の全部又は一部に基づいて前記電子通信回線網を介して接続された店舗運営者に対して商品又はサービスの提供を申し込んだ場合に、広告視聴者が申し込んだ商品又はサービスに応じた費用情報を店舗運営者のコンピュータから伝送される費用情報伝送ステップとを有することにした。
【００１１】
また、請求項６に係る本発明では、前記請求項５に係る本発明において、前記広告情報には、広告内容である広告データと、全広告視聴者に視聴させる合計回数を示す回数データとを含み、この回数データに応じた合計回数だけ必ず前記広告情報伝送ステップにおいて広告情報を伝送することにした。
【００１２】
また、請求項７に係る本発明では、前記請求項５又は請求項６に係る本発明において、広告情報を視聴した広告視聴者のクライアントコンピュータから各広告視聴者に関する視聴者情報が伝送される視聴者情報伝送ステップと、伝送された視聴者情報を各広告情報ごとに集計した視聴者集計情報を広告提供者のコンピュータに伝送する視聴者集計情報伝送ステップとを有することにした。
【発明の効果】
【００１３】
そして、本発明では、以下に記載する効果を奏する。
【００１４】
すなわち、広告視聴者は、広告掲載者から付与されたポイントを複数の店舗運営者に対して使用することができるので、広告視聴による特典の幅が多様化しており、満足する特典を得ることができる。
【００１５】
しかも、近年では電子商取引上のトラブルが頻発しているが、広告視聴者は自己のクレジットカードの番号や銀行口座の番号を開示することなく自己のポイントで電子通信回線網上の店舗運営者から商品又はサービスの提供を受けることができるので、広告視聴者は安心して商品又はサービスの提供を受けることができる。
【００１６】
また、店舗運営者にとっても、広告掲載者と提携することで広告視聴者からの商品又はサービスの提供の申込を受けることができるので、需要の拡大を図ることができる。
【００１７】
しかも、不特定の広告視聴者から商品又はサービスの対価を受け取るのではなく、特定の広告掲載者から商品又はサービスの対価を受け取ることができるので、対価回収の管理を容易なものとすることができる。
【００１８】
そして、広告掲載者は、広告視聴者による広告情報の視聴回数の増大を図ることができ、広告視聴回数の増大に伴ってより多くの広告提供者や店舗運営者との提携を図ることができるので、これによってさらに広告視聴者に付与する特典の幅を増大させることができて、より一層広告視聴回数を増大させることができる。
【発明を実施するための最良の形態】
【００１９】
本発明に係る広告システムは、広告提供者から提供された広告を自己のサイト上に掲載する広告掲載者がその広告を視聴した広告視聴者に対して特典を付与するものであり、その特典とは、視聴した広告に応じたポイントを広告視聴者に付与し、そのポイントに応じて広告視聴者が広告掲載者と提携した店舗運営者のサイト上で商品又はサービスの提供を選択的に受けることができ、しかも、店舗運営者への実際の費用の支払を広告視聴者に代わって広告掲載者が行うようにしたものである。
【００２０】
具体的には、本発明に係る広告システムは、電子通信回線網を介して接続された広告掲載者のサーバーコンピュータから広告視聴者のクライアントコンピュータに広告情報を伝送するものであり、しかも、以下のステップからなるものである。
【００２１】
まず、広告提供者のコンピュータから広告掲載者のサーバーコンピュータに広告情報を提供する(広告情報提供ステップ）。
【００２２】
次に、広告掲載者のサーバーコンピュータ上に広告情報を閲覧可能に掲載する（広告掲載ステップ）。
【００２３】
次に、広告視聴者のクライアントコンピュータからの要求に応じて広告掲載者のサーバーコンピュータから広告視聴者のクライアントコンピュータに広告情報を伝送する（広告情報伝送ステップ）。
【００２４】
ここで、広告情報には、広告内容である広告データと、全広告視聴者に視聴させる合計回数を示す回数データとが含まれており、広告情報伝送ステップでは、この回数データに応じた合計回数だけ必ず広告情報を伝送するようにしている。
【００２５】
次に、広告視聴者のクライアントコンピュータから広告情報が視聴されたことを広告掲載者のサーバーコンピュータに伝送する（視聴情報伝送ステップ）。
【００２６】
次に、広告掲載者のサーバーコンピュータから広告視聴者のクライアントコンピュータに視聴した広告情報に応じたポイント情報を伝送する（ポイント情報伝送ステップ）。
【００２７】
次に、広告視聴者がポイント情報の全部又は一部に基づいて前記電子通信回線網を介して接続された店舗運営者に対して商品又はサービスの提供を申し込む（申込ステップ）。
【００２８】
次に、広告視聴者が申し込んだ商品又はサービスに応じた費用情報を店舗運営者のコンピュータから広告掲載者のサーバーコンピュータに伝送する（費用情報伝送ステップ）。
【００２９】
また、広告情報を視聴した広告視聴者のクライアントコンピュータから各広告視聴者に関する視聴者情報を広告掲載者のサーバーコンピュータに伝送する（視聴者情報伝送ステップ）。
【００３０】
次に、伝送された視聴者情報を各広告情報ごとに集計した視聴者集計情報を広告掲載者のサーバーコンピュータから広告提供者のコンピュータに伝送する（視聴者集計情報伝送ステップ）。
【００３１】
この広告システムを運用する広告掲載者のサーバーコンピュータとしては、以下のステップを実行するものである。
【００３２】
まず、広告提供者のコンピュータから広告情報の提供を受ける（広告情報提供ステップ）。
【００３３】
次に、広告情報を閲覧可能に掲載する（広告掲載ステップ）。
【００３４】
次に、広告視聴者のクライアントコンピュータからの要求に応じて広告視聴者のクライアントコンピュータに広告情報を伝送する（広告情報伝送ステップ）。
【００３５】
次に、広告視聴者のクライアントコンピュータから広告情報が視聴されたことが伝送される（視聴情報伝送ステップ）。
【００３６】
次に、広告視聴者のクライアントコンピュータに視聴した広告情報に応じたポイント情報を伝送する（ポイント情報伝送ステップ）。
【００３７】
次に、広告視聴者が前記ポイント情報の全部又は一部に基づいて前記電子通信回線網を介して接続された店舗運営者に対して商品又はサービスの提供を申し込んだ場合に、広告視聴者が申し込んだ商品又はサービスに応じた費用情報を店舗運営者のコンピュータから伝送される（費用情報伝送ステップ）。
【００３８】
また、広告情報を視聴した広告視聴者のクライアントコンピュータから各広告視聴者に関する視聴者情報が伝送される（視聴者情報伝送ステップ）。
【００３９】
次に、伝送された視聴者情報を各広告情報ごとに集計した視聴者集計情報を広告提供者のコンピュータに伝送する（視聴者集計情報伝送ステップ）。
【００４０】
このように、本発明に係る広告システムでは、広告視聴者が広告掲載者から付与されたポイントを複数の店舗運営者に対して使用することができるので、広告視聴による特典の幅が多様化しており、満足する特典を得ることができる。
【００４１】
しかも、近年では電子商取引上のトラブルが頻発しているが、広告視聴者は自己のクレジットカードの番号や銀行口座の番号を開示することなく自己のポイントで電子通信回線網上の店舗運営者から商品又はサービスの提供を受けることができるので、広告視聴者は安心して商品又はサービスの提供を受けることができる。
【００４２】
また、店舗運営者にとっても、広告掲載者と提携することで広告視聴者からの商品又はサービスの提供の申込を受けることができるので、需要の拡大を図ることができる。
【００４３】
しかも、不特定の広告視聴者から商品又はサービスの対価を受け取るのではなく、特定の広告掲載者から商品又はサービスの対価を受け取ることができるので、対価回収の管理を容易なものとすることができる。
【００４４】
そして、広告掲載者は、広告視聴者による広告情報の視聴回数の増大を図ることができ、広告視聴回数の増大に伴ってより多くの広告提供者や店舗運営者との提携を図ることができるので、これによってさらに広告視聴者に付与する特典の幅を増大させることができて、より一層広告視聴回数を増大させることができる。
【００４５】
特に、広告情報を広告内容である広告データと全広告視聴者に視聴させる合計回数を示す回数データとで構成して、この回数データに応じた合計回数だけ必ず広告情報伝送ステップにおいて広告情報を伝送するようにした場合には、広告提供者が希望する回数は必ず広告視聴者によって視聴されることになるので、広告提供者は計画通りの広告効果を期待することができる。
【００４６】
また、各広告情報ごとに集計した視聴者集計情報を広告掲載者のサーバーコンピュータから広告提供者のコンピュータに伝送するようにした場合には、広告提供者にとっては広告提供を通してマーケティングリサーチをも行うことができる。
【００４７】
また、広告視聴者のクライアントコンピュータとして携帯端末装置でも広告を視聴できるようにした場合には、広告視聴者が場所を問わず好みの時間を利用して広告を視聴することができるようになるので、広告が視聴される回数を増大させることができる。
【００４８】
以下に、本発明に係る広告システムの具体的な運用について図面を参照しながら説明する。
【００４９】
この広告システムでは、図１に示すように、広告掲載者のサーバーコンピュータ１と広告視聴者のクライアントコンピュータ２と広告提供者のコンピュータ３と店舗運営者のコンピュータ４とがそれぞれインターネットに代表される電子通信回線網５に接続されており、この電子通信回線網５を利用してそれぞれ相互に情報の伝達が行えるようになっている。
【００５０】
そして、本広告システムでは、電子通信回線網５を介して相互に接続された広告掲載者のサーバーコンピュータ１と広告視聴者のクライアントコンピュータ２と広告提供者のコンピュータ３と店舗運営者のコンピュータ４との間で以下に説明するような情報伝達を行うようにしている（図２参照）。
【００５１】
まず、広告提供者は、広告提供者のコンピュータ３から広告掲載者のサーバーコンピュータ１に電子通信回線網５を用いて広告情報を提供する(広告情報提供ステップ）。この広告情報は、電子データからなり、広告内容である動画の広告データと、全広告視聴者に視聴させる合計回数を示す回数データとが含まれている。
【００５２】
次に、広告掲載者は、広告提供者から提供された広告情報のうちの広告データを広告掲載者のサーバーコンピュータ１上に広告視聴者が閲覧できるような形態で掲載する（広告掲載ステップ）。具体的には、広告掲載者は、自己のホームページ領域に広告データをアップロードし、広告視聴者が自己のクライアントコンピュータ２を用いて広告データをダウンロードできるような状態にする。
【００５３】
このとき、広告掲載者は、自己のホームページ上に複数の広告情報を並べて選択できるように表示するとともに、各広告情報の下にこれまでの視聴回数の累積数又はこの累積数を回数データから引いた視聴可能残数をも表示する。
【００５４】
次に、広告視聴者は、広告掲載者のホームページ上に掲載された広告情報のうちの１つを選択して、広告視聴者のクライアントコンピュータ２から広告掲載者のサーバーコンピュータ１に広告を視聴する旨の広告視聴要求を伝送する（広告視聴要求ステップ）。
【００５５】
次に、広告掲載者は、広告視聴者のクライアントコンピュータ２からの要求に応じて広告掲載者のサーバーコンピュータ１から広告視聴者のクライアントコンピュータ２に広告情報を伝送する（広告情報伝送ステップ）。
【００５６】
ここで、同一の広告視聴者から同一の広告情報を視聴する広告視聴要求を受けた場合には、その広告視聴者には広告情報を伝送しないようにする。これにより、広告情報に含まれる回数データの分だけ異なる広告視聴者に視聴させることができ、広告効果を増大させることができる。具体的には、広告掲載者は、広告視聴要求として、広告視聴者のＩＤ及びパスワードと広告情報の識別番号を広告視聴者のクライアントコンピュータ２から受け取り、それらの情報を広告掲載者のサーバーコンピュータ１に格納しておき、再度広告視聴要求を受けたときに過去の広告視聴要求と比較して、同一の広告視聴者から同一の広告情報を視聴する広告視聴要求か否かを判断する。
【００５７】
また、広告掲載者は、広告情報に含まれる回数データに応じた回数だけ広告視聴者から広告視聴要求があった場合には、広告掲載者のホームページ上から広告情報を削除する。これにより、各広告情報は、回数データに応じた合計回数だけ必ず広告視聴者に伝送される。そのため、広告提供者が希望する回数は必ず広告視聴者によって視聴されることになるので、広告提供者は計画通りの広告効果を期待することができる。
【００５８】
その後、広告視聴者は、クライアントコンピュータ２上で広告情報を視聴する。
【００５９】
そして、広告視聴者が広告情報を最後まで視聴した場合には、広告視聴者のクライアントコンピュータ２から広告情報が最後まで視聴されたこと示す視聴情報を広告掲載者のサーバーコンピュータ１に伝送する（視聴情報伝送ステップ）。
【００６０】
このように、広告視聴者が広告情報を最後まで視聴した場合に限って視聴情報が伝送されるようにしているために、広告視聴者は特典を得るために広告情報を最後まで視聴するようになり、広告効果を増大させることができる。
【００６１】
また、広告視聴者は、広告情報を視聴した広告視聴者のクライアントコンピュータ２から各広告視聴者に関する年齢、性別、所在地などの視聴者情報を広告掲載者のサーバーコンピュータに伝送する（視聴者情報伝送ステップ）。
【００６２】
次に、広告掲載者は、サーバーコンピュータ１から広告視聴者のクライアントコンピュータ２に広告視聴者が最後まで視聴した広告情報に応じたポイント情報を伝送する（ポイント情報伝送ステップ）。
【００６３】
ここで、広告掲載者は、各広告視聴者ごとに付与したポイントの累積ポイントをサーバーコンピュータ１に格納しておく。
【００６４】
その後、広告視聴者は、広告掲載者と提携する電子通信回線網５上で店舗を運営する店舗運営者のホームページを閲覧し（店舗閲覧ステップ）、商品の提供又はサービスの提供を希望する場合には、その申し込みを広告視聴者のクライアントコンピュータ２から店舗運営者のコンピュータ４に行う（申込ステップ）。
【００６５】
その際に、広告視聴者は、商品又はサービスの提供に対する費用として、広告掲載者から付与されたポイントの全部又は一部を使用することができるようになっている。換言すれば、広告掲載者から広告視聴者に付与されるポイントは電子マネーとして機能することになる。
【００６６】
このように、広告視聴者は、広告掲載者から付与されたポイントを複数の店舗運営者に対して使用することができるので、広告視聴による特典の幅が多様化され、広告視聴者にとって満足する特典を得ることができる。
【００６７】
しかも、広告視聴者は、自己のクレジットカードの番号や銀行口座の番号を開示することなく広告掲載者から付与された自己のポイントで店舗運営者から商品又はサービスの提供を受けることができるので、広告視聴者は安心して商品又はサービスの提供を受けることができる。
【００６８】
一方、店舗運営者は、広告視聴者からの要求に応じて商品又はサービスを広告視聴者に提供し（提供ステップ）、その後、広告視聴者が申し込んだ商品又はサービスの提供に応じた費用を費用情報として店舗運営者のコンピュータ４から広告掲載者のサーバーコンピュータ１に伝送する（費用情報伝送ステップ）。
【００６９】
そして、費用情報を受けた広告掲載者は、費用情報に応じた費用を店舗運営者に支払う（費用支払ステップ）。
【００７０】
これにより、店舗運営者は、広告掲載者と提携することで広告視聴者からの商品又はサービスの提供の申込を受けることができるので、需要の拡大を図ることができる。
【００７１】
しかも、不特定の広告視聴者から商品又はサービスの費用を受け取るのではなく、特定の広告掲載者から商品又はサービスの費用を受け取ることができるので、費用回収の管理を容易なものとすることができる。
【００７２】
また、広告掲載者は、広告視聴者のクライアントコンピュータ２から伝送された視聴者情報を各広告情報ごとに集計し（視聴者情報集計ステップ）、その視聴者集計情報を広告掲載者のサーバーコンピュータ１から広告提供者のコンピュータ３に伝送する（視聴者集計情報伝送ステップ）。
【００７３】
これにより、広告提供者は、広告情報の提供を通してマーケティングリサーチをも行うことができる。
【００７４】
なお、クライアントコンピュータ２は、デスクトップ型のコンピュータであってもよく、また、携帯電話機やＰＤＡなどの携帯端末装置であってもよい。そして、店舗運営者のコンピュータ４に対して申し込むサービスとして、携帯端末装置の通信サービス（通信料）であってもよい。
【００７５】
特に、広告視聴者のクライアントコンピュータ２として携帯端末装置を利用できるようにした場合には、広告視聴者が場所を問わず好みの時間を利用して広告を視聴することができるようになるので、広告が視聴される回数を増大させることができる。
【００７６】
以上に説明したようにして、本広告システムでは、広告掲載者が広告視聴者による広告情報の視聴回数の増大を図ることができ、広告視聴回数の増大に伴ってより多くの広告提供者や店舗運営者との提携を図ることができるので、これによってさらに広告視聴者に付与する特典の幅を増大させることができて、より一層広告視聴回数を増大させることができる。
【図面の簡単な説明】
【００７７】
【図１】本発明に係る広告システムを実現するハードウェア構成を示す説明図。
【図２】本発明に係る広告システムのフローを示す説明図。
【符号の説明】
【００７８】
１  広告掲載者のサーバーコンピュータ
２  広告視聴者のクライアントコンピュータ
３  広告提供者のコンピュータ
４  店舗運営者のコンピュータ
５  電子通信回線網
【図１】
2006120025.tif 000003
【図２】
2006120025.tif 000004